(57)【特許請求の範囲】
【請求項１】
文字情報などを表示するための表示装置を備えた表示装置付携帯端末において、
表示対象の文字情報の中から画数が最大のものを抽出し、その最大画数が予め設定された基準画数より少ない場合に、当該文字情報の表示に使用するフォントサイズを予め決められた標準表示サイズより小さくした状態に変更する制御を行う表示制御手段を備えたことを特徴とする表示装置付携帯端末。
【請求項２】
前記表示制御手段は、抽出した最大画数と前記基準画数との比較に基いて、文字情報の表示に使用するフォントサイズを多段階に変更する制御を行うことを特徴とする請求項１記載の表示装置付携帯端末。
【請求項３】
前記基準画数は２段階以上に設定され、
前記表示制御手段は、抽出した最大画数と前記基準画数との比較に基いて、文字情報の表示に使用するフォントサイズを前記基準画数の段階数より１つ大きい段階に変更する制御を行うことを特徴とする請求項２記載の表示装置付携帯端末。
【請求項４】
前記基準画数は２段階に設定され、
前記表示制御手段は、抽出した最大画数と前記基準画数との比較に基いて、文字情報の表示に使用するフォントサイズを３段階に変更する制御を行うことを特徴とする請求項３記載の表示装置付携帯端末。
【請求項５】
前記表示制御手段は、表示対象の文字情報が英数文字、仮名文字のみより成る場合に、画数の抽出動作を行うことなく文字情報の表示に使用するフォントサイズを、予め設定されたフォントサイズの中で最も小さくした状態に変更する制御を行うことを特徴とする請求項１ないし４のいずれかに記載の表示装置付携帯端末。
【発明の詳細な説明】
【０００１】
【発明の属する技術分野】
本発明は、文字や数字などの情報を表示するための表示装置を備えた表示装置付携帯端末に関する。
【０００２】
【発明が解決しようとする課題】
例えば、携帯電話機やページャなどのようなポケットサイズの携帯端末においては、一般的には液晶表示パネルより成る表示装置を利用して文字や数字或いはアイコンなどの情報を表示する構成となっている。しかし、このような携帯端末においては、表示装置の大きさ（面積）に限りがあるため、以下に述べるような宿命的な問題点があった。
【０００３】
即ち、表示内容の視認性を向上させるために、表示に使用するフォントサイズを相対的に大きくした場合には、表示装置に一括表示できる文字数が少なくなる。このため、情報量が多い状態時には、その情報を複数画面にわたって分割表示し、未表示画面の情報は、画面の切り替え或いは画面のスクロールによって表示することになるが、これでは表示内容の把握が煩雑になると共に、表示画面の切り替え或いはスクロールのための操作が必要になって操作性が悪化することになる。また、この逆に、一括表示する文字数を多くした場合には、表示に使用されるフォントサイズが相対的に小さくなるため、表示内容の視認性が悪化するという問題点が出てくる。
【０００４】
本発明は上記事情に鑑みてなされたものであり、その目的は、表示装置で表示する文字情報の量を、表示文字の視認性が悪化しない範囲で最大限に大きくするという表示制御を自動的に行い得るようになり、以て操作性の悪化を伴うことなく表示内容の視認性を向上させることが可能になる表示装置付携帯端末を提供することにある。
【０００５】
【課題を解決するための手段】
上記目的を達成するために請求項１に記載した手段を採用できる。この手段によれば、表示装置に文字情報を表示する場合には、表示制御手段が、当該表示装置に表示される文字情報のうち画数が最大のものを抽出するようになり、その抽出文字情報の画数が予め設定された基準画数より少ない場合には、当該文字情報の表示に使用するフォントサイズを予め決められた標準表示サイズより小さくした状態に変更する制御を行うようになる。従って、表示対象の文字情報中に画数が相対的に大きい文字が含まれていない場合、つまり、表示に使用するフォントサイズを小さくした場合でもその視認性が低下する恐れがない場合には、文字情報が標準表示サイズより小さくされた状態にて表示されるから、表示装置において表示可能な情報量を、視認性が悪化しない範囲で最大限に大きくできるようになる。この逆に、上記表示対象の文字情報中に画数が相対的に大きい文字が含まれる場合には、その文字情報が標準表示サイズにて表示されるから、表示内容の視認性が悪化する恐れがなくなる。この場合、上記のような各表示制御は自動的に行われるから、結果的に操作性の悪化を伴うことなく表示内容の視認性を向上させることが可能になるものである。
【０００６】
請求項２記載の手段によれば、表示装置に文字情報を表示する際に、表示に使用されるフォントサイズが、当該文字情報のうち画数が最大のものに応じて多段階に変更されるから、表示する文字情報の量を、視認性の悪化を来たさない範囲で最適な状態に設定することが可能になる。
請求項３記載の手段によれば、表示装置に文字情報を表示する際に、表示に使用されるフォントサイズが、当該文字情報のうち画数が最大のものと２段階以上に設定された基準画数との比較に基づいて、上記基準画数の段階数より1つ大きい段階に変更される。
請求項４記載の手段によれば、表示装置に文字情報を表示する際に、表示に使用されるフォントサイズが、当該文字情報のうち画数が最大のものと２段階に設定された基準画数との比較に基づいて、３段階に変更される。
【０００７】
請求項５記載の手段によれば、表示装置に表示される文字情報が英数文字、仮名文字のみより成る場合、つまり文字情報に含まれる各文字の画数が相対的に小さい状態にある場合には、表示制御手段が、画数の抽出動作を行うことなく文字情報の表示に使用するフォントサイズを、予め設定されたフォントサイズの中で最も小さくした状態で表示する制御を行うようになる。この結果、当該表示制御手段にあっては、画数の抽出動作が不要になる分だけ制御処理時の負担が軽減されることになる。
【０００８】
【発明の実施の形態】
以下、本発明を携帯電話機に適用した一実施例について図面を参照しながら説明する。
図３には携帯電話機１（表示装置付携帯端末に相当）の外観が概略的に示されている。この図３において、携帯電話機１の筐体２には、その前面側に、通話開始キー、リダイヤルキー、通話終了キー、「０」〜「９」の数字キー、アスタリスク（＊）キー、シャープ（＃）キー、ファンクションキー、文字入力を漢字変換するための変換キーなどの各種キーを含むキー操作部３、ＬＣＤパネル４（表示装置に相当）、送話音声入力用のマイクロホン５、受話音声出力用のスピーカ６、着信状態や充電動作状態を表示するためのＬＥＤ７が設けられていると共に、上部にアンテナ８が設けられている。
【０００９】
この場合、上記ＬＣＤパネル４は、例えば横×縦＝８０×１２０ドット表示のものであり、従って、１６×１６ドットの全角文字フォントの場合で横５文字×縦７文字の最大３５文字、１２×１２ドットの全角文字フォントの場合で横６文字×縦１０文字の最大６０文字、１０×１０ドットの全角文字フォントの場合で横８文字×縦１２文字の最大９６文字を一括表示可能な構成となっている。但し、一般的な携帯電話機で行われているように、例えばＬＣＤパネル４の最上部の行に受信強度表示用アイコンや電池残量表示用アイコンなどを表示する構成とした場合は、表示可能文字数が、それらのアイコンの表示領域分に相当した数だけ減ることになる。本実施例では、このような受信強度表示用アイコンなどを、例えば縦１２ドット相当の１行分の表示領域を使用して表示する構成を採用しており、従って、ＬＣＤパネル４に表示可能な最大文字数は、１６×１６ドットの全角文字フォントの場合で３０文字（横５文字×縦６文字）、１２×１２ドットの全角文字フォントの場合で５４文字（横６文字×縦９文字）、１０×１０ドットの全角文字フォントの場合で８０文字（横８文字×縦１０文字）になる。尚、必要に応じて、受信強度表示用アイコンなどの表示を止めて表示可能文字数を増やす構成としても良い。また、ＬＣＤパネル４を大型化することにより、さらに多数の文字を表示できる構成、或いはこの逆の構成としても良いことは勿論である。
【００１０】
図２には、上記携帯電話機１の電気的構成が機能ブロックの組み合わせにより示されている。この図２において、制御回路９（表示制御手段に相当）は、マイクロコンピュータを含んで構成されたもので、内部ＲＯＭ（図示せず）に記憶された制御プログラムに基いて、通信（通話や電子メールの送受信）などに係る種々の制御を実行する構成となっている。
【００１１】
この制御回路９には、前記キー操作部３及びＬＣＤパネル４の他に、住所録、リダイヤルメモ、着信履歴などを記憶するための例えばＥＥＰＲＯＭより成る記憶部１０、出力部１１（これにはＬＣＤパネル４用の図示しないバックライト、前記ＬＥＤ７、図示しないバイブレータなどが含まれる）、マイクロホン５及びスピーカ６のための音声処理部１２、無線通信部１３が接続されている。尚、アンテナ８は、無線通信部１３に接続されている。
【００１２】
この場合、無線通信部１３は、基地局から送信された着信信号をアンテナ８を通じて受信したときに着信検出信号を出力して制御回路９に与える。制御回路９は、着信検出信号が与えられたときには、無線通信部１３から着信信号に続く制御データを取得して記憶すると共に、着信報知動作（着信音或いは着信メロディをスピーカ６から出力する動作、若しくは図示しないバイブレータを駆動する動作）を実行し、この状態でキー操作部３を通じてオフフック信号が入力されたときには、回線接続動作を実行して無線通信部１３と音声処理部１２との間を接続する。
【００１３】
このような回線接続状態では、無線通信部１３がアンテナ８を通じて受信した電波信号を音声データ若しくはテキストデータ（本発明でいう文字情報に相当）に復調するようになり、音声データの復調が行われた場合、音声処理部１２は、当該無線通信部１３から入力される復調音声データをスピーカ６から受話信号として出力するようになる。また、音声処理部１２は、マイクロホン５から入力される音声信号を変調して無線通信部１３に送話信号として与える。すると、無線通信部１３は、音声処理部１２からの送話信号にベースバンド処理などを施し、アンテナ８から所定周波数帯域の電波信号として放射する動作を行う。
【００１４】
制御回路９は、上記のような送受話のための制御の他に、無線通信部１３が復調した文字データをＬＣＤパネル４に表示するというメール受信制御、キー操作部３を通じて入力された文字情報を無線通信部１３を通じて送信するというメール送信制御などを行う構成となっている。
【００１５】
図１には、制御回路９による制御内容のうち本発明の要旨に関係した部分が示されており、以下これについて関連した作用と共に説明する。
即ち、この図１は、ＬＣＤパネル４の表示対象となるテキストデータを受信したときの表示制御ルーチンの内容を示すものであり、この制御ルーチンでは、まず、受信したテキストデータを取り込んで記憶するステップＳ１０１を実行した後に、情報量判定ステップＳ１０２を実行する。このステップＳ１０２では、受信テキストデータの情報量を例えば全角文字に換算した状態で判定する（半角文字に換算した状態で判定しても良い）。次いで、その判定情報量が予め決められた基準情報量Ｎ以下か否かを判断する（ステップＳ１０３）。
【００１６】
上記基準情報量Ｎは、例えば、ＬＣＤパネル４に１６×１６ドットの全角文字フォントを表示する場合の最大表示可能文字数（本実施例の場合、３０文字）に設定されるものであり、上記ステップＳ１０３で「ＹＥＳ」と判断した場合（受信したテキストデータの情報量が全角文字換算で３０文字以下の場合）には、第１のフォントサイズ設定ステップＳ１０８へ移行する。このステップＳ１０８では、テキストデータの表示に使用するフォントサイズを標準表示サイズとして予め決められている１６×１６ドットに設定する。
【００１７】
前記ステップＳ１０３で「ＮＯ」と判断した場合、つまり、受信したテキストデータの情報量が全角文字換算で３０文字を越えていた場合には、当該テキストデータが英数文字、仮名文字（平仮名、片仮名）のみより成るものか否かを判断する（ステップＳ１０４）。ここで「ＹＥＳ」と判断した場合には、第３のフォントサイズ設定ステップＳ１１０へ移行する。このステップＳ１１０では、テキストデータの表示に使用するフォントサイズを最も小さいフォントサイズとして予め決められている１０×１０ドットに設定する。
【００１８】
前記ステップＳ１０４で「ＮＯ」と判断した場合、つまり、受信したテキストデータに英数文字、仮名文字以外の文字（具体的には漢字）が含まれていた場合には、最大画数判定ステップＳ１０５を実行する。このステップＳ１０５では、受信したテキストデータの中から画数が最大のものを抽出し、その最大画数を記憶する。
【００１９】
次いで、その抽出最大画数が予め設定された第１の基準画数Ｍ１より大きいか否かを判断する（ステップＳ１０６）。ここで「ＹＥＳ」と判断した場合には、前記第１のフォントサイズ設定ステップＳ１０８へ移行するが、「ＮＯ」と判断した場合には、抽出最大画数が予め設定された第２の基準画数Ｍ２（但し、Ｍ２＜Ｍ１）より大きいか否かを判断する（ステップＳ１０６）。ここで「ＮＯ」と判断した場合には、前記第３のフォントサイズ設定ステップＳ１１０へ移行するが、「ＹＥＳ」と判断した場合には、第２のフォントサイズ設定ステップＳ１０９へ移行する。このステップＳ１０９では、テキストデータの表示に使用するフォントサイズを中間フォントサイズとして予め決められている１２×１２ドットに設定する。
【００２０】
上述したような第１、第２及び第３のフォントサイズ設定ステップＳ１０８、Ｓ１０９及びＳ１１０の何れかを実行した後には、表示制御処理ルーチンＳ１１１を実行した後にリターンする。このルーチンＳ１１１では、受信したテキストデータを、各ステップＳ１０８〜Ｓ１１０で設定されたフォントサイズにてＬＣＤパネル４に表示する制御を行うものであり、テキストデータがオーバーフローする場合には、当該テキストデータを複数画面にわたって分割表示したり、スクロール可能な状態で表示する制御を行う。
【００２１】
以上要するに、上記した本実施例によれば、▲１▼…受信したテキストデータの情報量が少ない（全角文字換算で３０文字以下）、▲２▼…受信したテキストデータ中に漢字が含まれる状態において、その漢字の最大画数が第１の基準画数Ｍ１より大きい、という各場合には、当該テキストデータをＬＣＤパネル４に対し標準表示サイズに対応したフォントサイズ（１６×１６ドット）で表示する制御が行われる。また、▲３▼…受信したテキストデータが英数文字、仮名文字のみより成る、▲４▼…受信したテキストデータ中に漢字が含まれる状態において、その漢字の最大画数が第２の基準画数Ｍ２（これは前記第１の基準画数Ｍ１より小さい）以下、という各場合には、当該テキストデータをＬＣＤパネル４に対し最も小さいフォントサイズ（１０×１０ドット）で表示する制御が行われる。さらに、▲５▼…受信したテキストデータ中に漢字が含まれる状態において、その漢字の最大画数が第１の基準画数Ｍ１以下で且つ第２の基準画数Ｍ２より大きい、という場合には、当該テキストデータをＬＣＤパネル４に対し中間的なフォントサイズ（１２×１２ドット）で表示する制御が行われる。
因みに、図４には、上記▲１▼〜▲５▼の各場合の表示例を示した。尚、この図４は、第１の基準画数Ｍ１＝１８、第２の基準画数Ｍ２＝１２とした場合の表示例である。
【００２２】
以上の結果、本実施例によれば、表示対象のテキストデータ中に画数が相対的に大きい漢字が含まれていない場合、つまり、受信したテキストデータの表示に使用するフォントサイズを小さくした場合でもその視認性が低下する恐れがない場合には、当該テキストデータがの標準表示サイズ（１６×１６ドット）より小さくされた状態のフォントサイズ（１２×１２ドットまたは１０×１０ドット）にて表示されるから、ＬＣＤパネル４において表示可能な情報量を、視認性が悪化しない範囲で最大限に大きくできるようになる。具体的には、標準表示サイズでの表示可能文字数が全角文字換算で３０文字であるところを、５４文字若しくは８０文字まで拡大できるようになる。この逆に、上記表示対象のテキストデータ中に画数が相対的に大きい文字（第１の基準画数Ｍ１以上の画数の文字）が含まれる場合には、そのテキストデータが標準表示サイズにて表示されるから、表示内容の視認性が悪化する恐れがなくなる。この場合、上記のような各表示制御は自動的に行われるから、結果的に操作性の悪化を伴うことなく表示内容の視認性を向上させることが可能になるものである。
【００２３】
しかも、第１の基準画数Ｍ１及び第２の基準画数Ｍ２が設定され、上記のようにテキストデータを表示する際には、表示に使用されるフォントサイズが、当該テキストデータから抽出した最大画数と上記各基準画数Ｍ１及びＭ２との比較に基いて３段階に変更される構成となっているから、表示するテキストデータの文字数を、視認性の悪化を来たさない範囲で最適な状態に設定することが可能になる。
【００２４】
さらに、表示対象のテキストデータが英数文字、仮名文字のみより成る場合、つまりテキストデータに含まれる各文字の画数が相対的に小さい状態にある場合には、制御回路９が、画数の抽出動作を行うことなく表示テキストデータのサイズを小さくした状態で表示する制御を行うようになる。この結果、当該制御回路９における制御処理時の負担を軽減できるようになる。また、表示対象のテキストデータの情報量が予め決められた基準情報量Ｎ（全角文字に換算して３０文字）以下の場合にも、制御回路９が、画数の抽出動作を行うことなく表示テキストデータを標準標準サイズで表示する制御を行うようになるから、この面からも、当該制御回路９における制御処理時の負担を軽減できるようになる。
【００２５】
尚、本発明は上記した実施例に限定されるものではなく、次のような変形または拡張が可能である。
受信したテキストデータの表示についてのみ述べたが、例えば、携帯電話機内に記憶されている住所録（電話帳）などの文字情報の表示に対し上記実施例と同様の表示制御を行う構成としても良いことは勿論である。
テキストデータから抽出した最大画数に応じて表示に使用するフォントサイズを３段階に変更する構成としたが、さらに多段階に変更する構成とすることもできる。
携帯電話機に限らず、ページャなどのような他の表示装置付携帯端末に適用することも可能である。
【図面の簡単な説明】
【図１】本発明の一実施例におけるを制御内容を示すフローチャート
【図２】電気的構成を示す機能ブロック図
【図３】携帯電話機の斜視図
【図４】複数の表示例を示す図
【符号の説明】
１は携帯電話機（表示装置付携帯端末）、４はＬＣＤパネル（表示装置）、９は制御回路（表示制御手段）を示す。
【図１】
0004172125.tif 000002
【図２】
0004172125.tif 000003
【図３】
0004172125.tif 000004
【図４】
0004172125.tif 000005